(57)【要約】【課題】オーディオケーブルコネクターを提供する。【解決手段】本体２１と、端子２２と、リード線拘束部材２３と、押圧部材２４とを含み、多芯リード線２５の導電端２５１と端子２２のガイド片２２１とを直接接続させることにより、異なる導体間で信号が伝送されることを効果的に回避し、さらに従来のオーディオケーブルコネクターに見られる信号強度の減衰及びノイズの信号への干渉といった問題を解決する。また、多芯リード線の導電端２５１をリード線拘束部材２３により拘束させることにより、導電端２５１のリード線全体が押圧部材の押圧により結束され、多芯リード線２５の分散により脱落することはない。また、本体２１、クリップ２７１１及び固定リング２７２の組み合わせにより、多芯リード線２５の外部絶縁層２５２を強固に固定して、多芯リード線２５が外力によって引っ張られることにより脱落することを回避できる。【選択図】図３
2010232175.tif 000002
【特許請求の範囲】
【請求項１】
本体と、
前記本体に固定され、前記本体内に穿入し多芯リード線の導電端を保持し導通接続するためのガイド片を有する端子と、
前記本体内に設けられ、前記多芯リード線の導電端を収容しかつ拘束するための収容空間を前記ガイド片とともに形成するリード線拘束部材と、
前記リード線拘束部材内に設けられ、前記ガイド片及び前記リード線拘束部材との組み合わせによって前記多芯リード線の導電端を押圧するための押圧部材とを備え、
前記収容空間の最大幅が実質的に前記押圧部材の押圧面の最大幅より小さく又は等しく構成されることで、前記多芯リード線が前記端子に固定されることを特徴とするオーディオケーブルコネクター。
【請求項２】
前記端子を前記本体に固定させるためのピンをさらに備えていることを特徴とする請求項１に記載のオーディオケーブルコネクター。
【請求項３】
前記本体が、前記押圧部材が穿設されて前記リード線拘束部材に進入するための開孔をさらに備え、前記押圧部材がネジであり、前記開孔がネジ孔であることを特徴とする請求項１に記載のオーディオケーブルコネクター。
【請求項４】
前記本体が、前記多芯リード線の導電端の一部を露出させるための開口をさらに備えていることを特徴とする請求項１に記載のオーディオケーブルコネクター。
【請求項５】
前記リード線拘束部材が、前記ガイド片に対向し前記多芯リード線の導電端を拘束するためのトレンチを有し、前記トレンチの最大幅が、実質的に前記押圧部材の押圧面の最大幅より小さく又は等しいことを特徴とする請求項１に記載のオーディオケーブルコネクター。
【請求項６】
前記ガイド片が、前記多芯リード線の導電端を拘束するための凹み部を有し、前記凹み部の最大凹み幅が、実質的に前記押圧部材の押圧面の最大幅より小さく又は等しいことを特徴とする請求項１に記載のオーディオケーブルコネクター。
【請求項７】
前記本体に設けられ、前記本体に対する電磁干渉（ｅｌｅｃｔｒｏｍａｇｎｅｔｉｃ  ｉｎｔｅｒｆｅｒｅｎｃｅ，ＥＭＩ）を減少させ前記本体を保護するためのケースをさらに備え、前記ケースの材料が、磁性を有しないステンレス、カーボン繊維又はそれらの組み合わせによる材料から選択されることを特徴とする請求項１に記載のオーディオケーブルコネクター。
【請求項８】
前記本体における前記端子より離れた一端に設けられ、前記多芯リード線の外部絶縁層を包囲するように挟持するための挟持ユニットをさらに備え、
前記挟持ユニットが、
前記本体内壁に接触するためのクリップを有する挟持部材と、
前記挟持部材の前記本体内部方向への運動を推進し、前記本体の内壁が前記クリップを圧迫し、前記クリップが前記多芯リード線の外部絶縁層を包囲するように挟持するようにするための固定リングと、
を備えていることを特徴とする請求項１に記載のオーディオケーブルコネクター。
【請求項９】
前記本体における前記端子に近い一端に設けられ、前記端子の先端挿入部を弾性変形的に拡開するためのセンターピンユニットをさらに備え、
前記端子が、バナナ端子、スペード端子、マイクロホン端子、ＴＲＳ端子、ＢＮＣ端子、イヤホン端子又はＲＣＡ端子からなる組み合わせのいずれか一つから選択され、
前記センターピンユニットが、
前記端子内に穿設されるためのセンターピンを有するセンターピン基部と、
前記センターピン基部の前記端子に近づく方向への運動を推進し、前記センターピンに前記端子の先端挿入部を弾性変形的に拡開させるようにするための推進部材と、
前記端子及び前記センターピン基部にそれぞれ接触した両端を有し、前記センターピン基部が前記端子より離れる方向へ運動するための弾性力を提供することで、前記センターピンが前記端子より離れ、前記端子の先端挿入部がまだ弾性変形していない元の状態に復元されるようにするためのスプリングである弾性素子と、
を備えていることを特徴とする請求項１に記載のオーディオケーブルコネクター。
【請求項１０】
前記端子が純銅を材料とすることを特徴とする請求項１に記載のオーディオケーブルコネクター。
【請求項１１】
前記端子にはロジウム又は金の電気めっき層が形成されていることを特徴とする請求項１に記載のオーディオケーブルコネクター。
【発明の詳細な説明】
【技術分野】
【０００１】
本発明は、オーディオケーブルコネクターに関し、特に一端が外部装置に接続されるオーディオケーブルコネクターに関するものである。
【背景技術】
【０００２】
オーディオケーブルコネクターは、信号伝送ルートの設備として外部装置との接続に広汎に適用されており、特にバナナ端子を有するオーディオケーブルコネクター（ｂａｎａｎａ  ｃｏｎｎｅｃｔｏｒ）及びスペード端子を有するオーディオケーブルコネクター（ｓｐａｄｅ  ｃｏｎｎｅｃｔｏｒ）が最も一般的である。
【０００３】
図１は、従来のバナナ端子を有するオーディオケーブルコネクターの一部の断面を模式的に示した断面図である。図１に示すように、オーディオケーブルコネクター１の一端には外部装置との導通接触により信号を伝送するためのバナナ端子１１が設けられ、他の一端にはオーディオケーブルコネクター１の長手方向に対して垂直である多芯リード線１２の導電端１２１を押圧するための押圧部材１３が設けられている。押圧によって多芯リード線１２に摩擦力が生じることで、多芯リード線１２がオーディオケーブルコネクター１に固定され、オーディオケーブルコネクター１に設けられた中継導電体（図示せず）との接触によりバナナ端子１１と間接的に導通接続されることになる（例えば、特許文献１（第１図、第４図参照））。間接的に導通接続されるということは、バナナ端子１１と多芯リード線１２とが直接接続されるのではなく、中継導電体を介して初めて導通接続されることをいう。このように、従来のオーディオケーブルコネクター１の信号は異なる導体間で伝送されているため、信号強度の減衰やノイズの信号への干渉により、信号の伝送効果は悪くなる虞がある。
【０００４】
また、従来のオーディオケーブルコネクター１と多芯リード線１２とは互いに垂直に接続されているため（例えば、特許文献１（第１図、第４図参照））、導電端１２１が何回か使用された後又は外力によって引っ張られた場合、剪断力によって破壊され破断又は脱落し、さらにはオーディオケーブルコネクター１と多芯リード線１２とが互いに分離してしまう結果をもたらす虞がある。
【０００５】
さらに、図２は、図１のＡ−Ａ線に沿った断面図を示す。図２に示すように、オーディオケーブルコネクター１には、押圧部材１３に導電端１２１のリード線全体を効果的に押圧させるための手段が何ら提供されておらず、即ち、押圧部材１３が多芯リード線１２の導電端１２１のごく一部を押圧するのみであって、その押圧された部分を介して強度が与えられることにより剪断力又は張力による破壊を回避し、それに伴って摩擦力を生成して多芯リード線１２をオーディオケーブルコネクター１に固定させるにすぎない（例えば、特許文献１（第１図、第４図参照））。この方法では、全体ではなく一部のみのリード線に固定作用が発揮されるにすぎないため、その部分のリード線が外力からの影響を回避するだけの充分な強度を提供できず、オーディオケーブルコネクター１と多芯リード線１２とが互いに分離してしまうことになる虞がある。
【０００６】
従って、オーディオ、信号強度の減衰やノイズの信号への干渉、オーディオケーブルコネクターに接続された多芯リード線が一部しか外力に対する抵抗力を発揮しないこと、多芯リード線の導電端が剪断力の作用により剪断されること、といった従来のオーディオケーブルコネクターが抱える問題を効果的に解決することが業界において極めて重要な課題となっている。
【先行技術文献】
【特許文献】
【０００７】
【特許文献１】台湾新型専利公告第３７４５１１号公報
【発明の概要】
【発明が解決しようとする課題】
【０００８】
そこで、以上のとおりの事情に鑑み、本発明は、従来のオーディオケーブルコネクターに見られる信号強度の減衰やノイズの信号への干渉が生じるという問題を効果的に解決することができるオーディオケーブルコネクターを提供することを課題とする。
【０００９】
また、従来のオーディオケーブルコネクターに見られるオーディオケーブルコネクターに接続された多芯リード線が一部しか外力に対する抵抗力を発揮しないという問題を効果的に解決することができるオーディオケーブルコネクターを提供することを課題とする。
【００１０】
また、従来のオーディオケーブルコネクターに見られる多芯リード線の導電端が剪断力の作用により剪断されるという問題を効果的に解決することができるオーディオケーブルコネクターを提供することを課題とする。
【課題を解決するための手段】
【００１１】
上記の課題を解決するために、本発明に係るオーディオケーブルコネクターは、本体と、当該本体に固定され、かつ本体内に穿入し多芯リード線の導電端を保持しかつ導通接続するためのガイド片を有する端子と、本体内に設けられ、多芯リード線の導電端を収容し拘束するための収容空間をガイド片とともに形成するリード線拘束部材と、当該リード線拘束部材内に設けられ、ガイド片及びリード線拘束部材との組み合わせによって多芯リード線の導電端を押圧するための押圧部材とを備え、収容空間の最大幅が実質的に押圧部材の押圧面の最大幅より小さく又は等しく構成されることによって、多芯リード線を端子に固定させることを特徴とする。
【００１２】
また、本発明の一局面おいて、本体は、押圧部材が穿設されてリード線拘束部材に進入するための開孔をさらに備えている。ここで、押圧部材はネジであり、開孔はネジ孔である。本体は、多芯リード線の導電端の一部を露出させるための開口をさらに備え、後続の当該部分に対するその他の処理、例えば半田作業を行いやすくしている。リード線拘束部材は、ガイド片に対向し多芯リード線の導電端を拘束するためのトレンチを有し、当該トレンチの最大幅は実質的に押圧部材の押圧面の最大幅より小さく又は等しい。
【００１３】
上述した局面において、ガイド片は、多芯リード線の導電端を拘束するための凹み部を有し、当該凹み部の最大凹み幅は実質的に押圧部材の押圧面の最大幅より小さく又は等しい。端子は銅を材料としその表面にロジウム又は金の電気めっき層をニッケルレスメッキにより形成する。端子はバナナ端子、スペード端子、マイクロホン端子、ＴＲＳ端子、ＢＮＣ端子、イヤホン端子又はＲＣＡ端子のいずれか一つから選択される。
【００１４】
上述した局面において、オーディオケーブルコネクターは、端子を本体に固定させるためのピンをさらに備えている。オーディオケーブルコネクターはさらに、本体に設けられ、本体に対する電磁干渉（ｅｌｅｃｔｒｏｍａｇｎｅｔｉｃ  ｉｎｔｅｒｆｅｒｅｎｃｅ，ＥＭＩ）を減少させ本体を保護するためのケースを備えている。ここで、このケースの材料は、磁性を有しないステンレス、カーボン繊維又はそれらの組み合わせによる材料から選択される。オーディオケーブルコネクターはさらに、本体における端子より離れた一端に設けられ、多芯リード線の外部絶縁層を包囲するように挟持するための挟持ユニットを備えている。ここで、この挟持ユニットは、本体内壁に接触するためのクリップを有する挟持部材と、当該挟持部材の本体内部方向への運動を推進することで、本体の内壁がクリップを圧迫し、クリップが多芯リード線の外部絶縁層を包囲するように挟持するようにするための固定リングとを備えている。
【００１５】
さらに、本発明の他の局面において、オーディオケーブルコネクターはさらに、本体における端子に近い一端に設けられ、端子の先端挿入部を弾性変形的に拡開するためのセンターピンユニットを備えている。ここで、センターピンユニットは、端子内に穿設されるためのセンターピンを有するセンターピン基部と、センターピン基部の端子に近づく方向への運動を推進し、該センターピンによって端子の先端挿入部が弾性変形的に拡開されるようにするための推進部材とを備えている。ここで、センターピンユニットはさらに、両端がそれぞれ端子及びセンターピン基部に接触し、センターピンが端子より離れる方向へ運動するための弾性力が提供され、センターピンが端子から離れ、端子の先端挿入部をまだ弾性変形していない元の状態に復元させるためのスプリングである弾性素子を備えている。
【００１６】
本発明によれば、本体と、端子と、リード線拘束部材と、押圧部材とを有するオーディオケーブルコネクターが提供されている。従来の技術と比較して、本発明に係るオーディオケーブルコネクターは、多芯リード線の導電端と端子のガイド片とを直接接続させているため、従来のオーディオケーブルコネクターのように中継導電体を介して多芯リード線と端子とを導通接続する必要はない。従って、本発明に係るオーディオケーブルコネクターによれば、異なる導体間で信号が伝送されることを効果的に回避し、さらに従来のオーディオケーブルコネクターに見られる信号強度の減衰及びノイズの信号への干渉といった問題を解決することができる。また、本発明によれば、多芯リード線の導電端がリード線拘束部材により拘束されることにより、導電端のリード線全体が押圧部材の押圧により結束され、従来技術に見られる、多芯リード線が外力に対する抵抗力を完全に発揮できない問題を効果的に解決することが出来る。また、本発明によれば、多芯リード線の導電端を本体及びガイド片によって保護することにより、導電端が剪断力の作用により剪断されることを回避でき、また本体、クリップ及び固定リングの組み合わせにより、多芯リード線の外部絶縁層が強固に固定されているため、多芯リード線が外力によって引っ張られることにより脱落することを回避することができる。
【図面の簡単な説明】
【００１７】
【図１】従来のバナナ端子を有するオーディオケーブルコネクターの一部の断面を模式的に示した断面図である。
【図２】図１のＡ−Ａ線に沿った断面図である。
【図３】本発明の実施例に係るオーディオケーブルコネクターの素子を模式的に示す分解斜視図である。
【図４】図３のオーディオケーブルコネクターの一部の素子の組み合わせを模式的に示す斜視図である。
【図５】図４のＢ−Ｂ線に沿った断面図である。
【図６】図３のオーディオケーブルコネクターの一部の素子の組み合わせを模式的に示す斜視図である。
【図７】図６のＣ−Ｃ線に沿った部分断面図を示す。
【図８】本発明の他の実施例に係るオーディオケーブルコネクターの素子を模式的に示す分解斜視図である。
【図９】図８のオーディオケーブルコネクターの一部の素子の組み合わせを模式的に示す斜視図である。
【図１０】図９のＤ−Ｄ線に沿った断面図である。
【発明を実施するための形態】
【００１８】
以下、本発明の実施形態を実施例を伴い説明する。この技術分野に精通した者は本明細書に記載の内容によって、簡単に本発明のその他の利点や効果が理解できる。本発明は、その他の異なる実施例によって施行や応用を加えることが可能であり、本明細書に記載の内容も異なる観点や応用に基づき、本発明の趣旨を逸脱しない範囲で様々な修飾や変更が可能であり、そうした修飾や変更は本発明の特許請求の範囲に入るものである。
【００１９】
以下の実施例は、本発明の観点をさらに詳しく説明する。ただし、本発明の範囲はこれらの実施例に限定されるものではない。
【００２０】
図３は、本発明に係る実施例のオーディオケーブルコネクターの素子を模式的に示す分解斜視図である。図４は、図３のオーディオケーブルコネクターの一部の素子の組み合わせを模式的に示す斜視図である。図５は、図４のＢ−Ｂ線に沿った断面図である。図３〜図５に示すように、本実施例のオーディオケーブルコネクター２は、スペード端子を有するオーディオケーブルコネクターであり、本体２１と、端子２２と、リード線拘束部材２３と、押圧部材２４とを備えている。
【００２１】
本実施例において、本体２１は材質がステンレスであり、端子２２は、外部装置に導通接触して信号を伝送するためのスペード端子（ｓｐａｄｅ  ｃｏｎｎｅｃｔｏｒ）であるが、これらに限定されるものではなく、必要に応じてその他の材質を本体２１の材質として選択してもよく、端子２２を各種規格の端子、例えばバナナ端子、マイクロホン端子、ＴＲＳ端子、ＢＮＣ端子、イヤホン端子、ＲＣＡ端子又はその他の同軸端子等に作成してもよい。本実施例における端子２２は、ピン２６により本体２１に固定され、かつその一端には、本体２１に穿入し多芯リード線２５の導電端２５１を保持し導通接続するためのガイド片２２１を有しているため、多芯リード線２５は、本体２１及びガイド片２２１によって保護されることで、剪断力による破壊を回避し、かつ多芯リード線２５は端子２２に直接導通接続しているため、従来のオーディオケーブルコネクターのように中継導電体を介して多芯リード線と端子とを導通接続する必要はない。従って、本発明に係るオーディオケーブルコネクターによれば、従来のオーディオケーブルコネクターに見られる信号強度の減衰及びノイズの信号への干渉といった問題を効果的に解決することができる。ただし、ここで注意すべき点は、端子２２及び本体２１の固定は、必ずしもピンによって行う必要はなく、その他の固定手段、例えばネジやネジ孔等の固定手段を使用しても、同様の固定効果が得られる。
【００２２】
また、ガイド片２２１は凹み部２２１１を有し、凹み部２２１１は、多芯リード線２５の導電端２５１を拘束するための下方向に凹む孤形表面であり、その最大の凹み幅Ｗ１が例えば実質的に押圧部材２４の押圧面２４１の最大幅Ｗ２より小さく又は等しく、導電端２５１のリード線全体が押圧部材２４の押圧により外力に対する抵抗力を発揮しているため、多芯リード線２５を端子２２に効果的に固定することができる。ここで注意すべき点は、凹み部２２１１と押圧部材２４との関係は上述した内容に限定されるものではなく、必要に応じて変更してもよいということである。
【００２３】
本実施例において、端子２２は純銅（Ｃｕ）を材料とし、かつ端子２２にガイド片２２１が一体成形され、端子２２の表面にロジウム又は金の電気めっき層２２２をニッケルレスメッキにより形成することで、端子２２が、純銅材料の良好な信号伝送性と、ロジウム（Ｒｈ）又は金（Ａｕ）材料の良好な耐酸化性、耐摩耗性及びその表面に干渉磁場が生じにくい特性と、を兼ね備えているため、従来のオーディオケーブルコネクターに見られる信号強度の減衰やノイズの信号への干渉といった問題をより効果的に解決することができるとともに、従来の端子によく見られる摩耗や酸化の問題を解決することができ、ひいてはオーディオケーブルコネクターの使用寿命を向上させることができる。ここで注意すべき点は、端子２２の材料はこれらに限定されるものではなく、必要に応じてその他の導体材料を使用してもよいということである。同様に、端子２２は、必ずしもニッケルレスメッキの方法により電気めっき層２２２を形成する必要はない。
【００２４】
リード線拘束部材２３は、本体２１内に設けられ、多芯リード線２５の導電端２５１を収容し拘束するための収容空間２３１１をガイド片２２１とともに形成する。押圧部材２４は、リード線拘束部材２３内に設けられ、ガイド片２２１及びリード線拘束部材２３との組み合わせによって多芯リード線２５の導電端２５１を押圧する。押圧の効果は、押圧部材２４によりガイド片２２１とリード線拘束部材２３とからなる収容空間２３１１を縮小することにより達成される。また、収容空間２３１１の最大幅Ｗ３は例えば実質的に押圧部材２４の押圧面２４１の最大幅Ｗ２より小さく又は等しく、導電端２５１のリード線全体が押圧部材２４の押圧により外力に対する抵抗力を発揮しているため、多芯リード線２５を端子２２に効果的に固定することができる。
【００２５】
本実施例において、本体２１は、押圧部材２４が穿設されてリード線拘束部材２３内に進入するための開孔２１１を備えている。ここで、押圧部材２４はネジであり、開孔２１１はネジ孔であるが、それらに限定されるものではなく、必要に応じてその他の構造を選択してもよい。さらに、リード線拘束部材２３は、ガイド片２２１に対向したトレンチ２３１を有し、多芯リード線２５の導電端２５１を拘束する。トレンチ２３１の最大幅Ｗ３は例えば実質的に押圧部材２４の押圧面２４１の最大幅Ｗ２より小さく又は等しく、導電端２５１の多芯リード線２５の全てが押圧部材２４の押圧により外力に対する抵抗力を発揮しているため、多芯リード線２５を端子２２に効果的に固定することができる。ここでは、トレンチ２３１はｎ形トレンチであるが、これに限定されるものではなく、必要に応じてトレンチ２３１の設計をその他の形状、例えばＵ形トレンチ又は逆台形トレンチに設計してもよい。
【００２６】
また、オーディオケーブルコネクター２は、本体２１に螺設され、磁性を有しないステンレス、カーボン繊維又はそれらの組み合わせの材料から選択され、本体に対する電磁干渉（ｅｌｅｃｔｒｏｍａｇｎｅｔｉｃ  ｉｎｔｅｒｆｅｒｅｎｃｅ，ＥＭＩ）を減少させ本体を保護するためのケースをさらに備えている。ここで注意すべき点は、このケース２８の設置や材料は、上述した内容に限定されるものではなく、必要に応じて変更してもよいということである。
【００２７】
図６は、図３のオーディオケーブルコネクターの一部の素子の組み合わせを模式的に示す斜視図である。図７は、図６のＣ−Ｃ線に沿った部分断面図である。図３、図６及び図７に示すように、本実施例に係るオーディオケーブルコネクター２はさらに、多芯リード線２５が引っ張られることによって移動又は破断しないように、本体２１における端子２２より離れた一端に設けられ、多芯リード線２５の外部絶縁層２５２を包囲するように挟持することで多芯リード線２５を挟持するための挟持ユニット２７を備えている。
【００２８】
挟持ユニット２７は、挟持部材２７１と固定リング２７２とを備えている。ここで、挟持部材２７１は、本体２１の内壁に接触するためのテーパ−面２７１１１を有するクリップ２７１１を複数有しており、固定リング２７２は、ネジ孔を有するステンレス柱状体であり、当該柱状体は、本体２１に螺設され、挟持部材２７１を推進するための手段を有している。固定リング２７２の回転により挟持部材２７１の本体２１の内部方向への運動を推進することで、複数のクリップ２７１１のテーパ−面２７１１１が本体２１の内壁に押圧され、それよって、それらの複数のクリップ２７１１が多芯リード線２５の外部絶縁層２５２を包囲するように挟持する。即ち、本体２１、クリップ２７１１及び固定リング２７２の組み合わせにより、多芯リード線２５の外部絶縁層２５２を固定し、多芯リード線２５が外力によって引っ張られて脱落することがないように保護する。ここで注意すべき点は、挟持ユニット２７の設置は上述した内容に限定されるものではなく、必要に応じて適宜変更してもよいということである。材料の節約及び製造プロセスの簡素化のために、例えば、固定リング２７２を別途に設置せずに、挟持部材２７１を制動するための構造をケース２８に直接形成してもよい。
【００２９】
また、本実施例の本体２１はさらに、多芯リード線２５の導電端２５１の一部分２５１１を露出させるための開口２１２を備え、後続の導電端２５１の一部分２５１１に対する処理、例えば半田処理を行いやすくしてもよい。
【００３０】
本実施例によれば、本発明では、本体と、端子と、リード線拘束部材と、押圧部材とを有するオーディオケーブルコネクターが提供されている。従来の技術と比較して、本発明に係るオーディオケーブルコネクターは、多芯リード線の導電端と端子のガイド片とを直接導通接続させているため、従来のオーディオケーブルコネクターのように中継導電体を介して多芯リード線と端子とを導通接続する必要はない。従って、本実施例に係るオーディオケーブルコネクターによれば、異なる導体間で信号が伝送されることを効果的に回避し、さらに従来のオーディオケーブルコネクターに見られる信号強度の減衰及びノイズの信号への干渉といった問題を解決することができる。また、本実施例によれば、多芯リード線の導電端がリード線拘束部材により拘束されることにより、導電端のリード線全体が押圧部材の押圧により結束され、従来技術に見られる、オーディオケーブルコネクターに接続された多芯リード線が外力に対する抵抗力を完全に発揮できないという問題を効果的に解決することができる。また、本実施例に係るオーディオケーブルコネクターによれば、多芯リード線の端部を本体及びガイド片により保護することにより、端部が剪断力によって破断されることを回避でき、本体、クリップ及び固定リングの組み合わせにより、多芯リード線の外部絶縁層が強固に固定されているため、多芯リード線が外力によって引っ張られることにより脱落することを回避することができる。
【００３１】
図８は、本発明に係る他の実施例のオーディオケーブルコネクターの素子を模式的に示す分解斜視図である。図９は、図８のオーディオケーブルコネクターの一部の素子の組み合わせを模式的に示す斜視図である。図１０は、図９のＤ−Ｄ線に沿った断面図である。本実施例に係るオーディオケーブルコネクターは、前述した実施例とほぼ同様であるため、重複した内容を省略し、異なる内容のみを説明する。また、本実施例の特徴や利点がより分かりやすくなるように、同一又は同等の要素には同一又は同等の符号を付する。
【００３２】
本実施例と前述した実施例との最大の相違点は、本実施例の端子が外部装置に導通接触して信号を伝送するためのバナナ端子（ｂａｎａｎａ  ｃｏｎｎｅｃｔｏｒ）であり、かつバナナ端子の先端挿入部が必要に応じて拡開又は復元させてもよいという点である。
【００３３】
図８ないし図１０に示すように、本実施例に係るオーディオケーブルコネクター２は、本体２１と、端子２２と、リード線拘束部材２３と、押圧部材２４と、センターピンユニット２９とを備えている。センターピンユニット２９は、センターピン基部２９１と推進部材２８１とを有し、かつセンターピンユニット２９は、本体２１における端子２２に近い一端に設けられ、端子２２の先端挿入部２２３を弾性変形的に拡開することにより、端子２２が外部装置に固着されるようになっている。
【００３４】
ここで、センターピン基部２９１は、端子２２における本体２１に近い一端に摺動自在に設けられ、かつセンターピン基部２９１には端子２２内に穿設するためのセンターピン２９１１が螺設されている。推進部材２８１は、本体２１に螺設され、センターピン基部２９１を制動するための手段を有し、推進部材２８１の回転によりセンターピン基部２９１を端子２２に近づく方向へ運動するように推進することで、センターピン２９１１が端子２２の先端挿入部２２３を弾性変形的に拡開させ、端子２２が外部装置に固着されるようになっている。ここで注意すべき点は、センターピン基部２９１及び推進部材２８１の設置は上述した内容に限定されるものではなく、必要に応じて変更してもよいということである。
【００３５】
また、本実施例に係るセンターピンユニット２９は、両端がそれぞれ端子２２及びセンターピン基部２９１に接触した弾性素子２９２をさらに備えている。弾性素子２９２は、螺旋スプリングであり、それによってセンターピン基部２９１が端子２２より離れる方向へ運動するための弾性力が提供されることで、センターピン２９１１が端子２２より離れ、端子２２の先端挿入部２２３がまだ弾性変形していない元の状態に復元され、端子２２が外部の装置より脱落するようにできる。ここで注意すべき点は、弾性素子２９２は、螺旋スプリングではなく、必要に応じてその他の弾性手段を使用してもよいということである。
【００３６】
本実施例によれば、本体と、バナナ端子と、リード線拘束部材と、押圧部材と、センターピンユニットと、を有するオーディオケーブルコネクターが提供されている。従来の技術と比較して、本実施例に係るオーディオケーブルコネクターは、推進部材の回転のみによりバナナ端子の先端挿入部を拡開させる又は復元させることができるため、オーディオケーブルコネクターの操作や組み立てを効果的に簡素化することができる。
【００３７】
上記のように、これらの実施の形態は本発明の原理および効果・機能を例示的に説明するものであり、本発明は、これらによって限定されるものではない。本発明に係る実質的な技術内容は、下記の特許請求の範囲に定義される。本発明は、この技術分野に精通した者により本発明の趣旨を逸脱しない範囲で色々な修飾や変更をすることが可能であり、そうした修飾や変更は本発明の特許請求の範囲に入るものである。
【符号の説明】
【００３８】
１  オーディオケーブルコネクター
１１  バナナ端子
１２  リード線
１２１  導電端
１３  押圧部材
２  オーディオケーブルコネクター
２１  本体
２１１  開孔
２１２  開口
２２  端子
２２１  ガイド片
２２１１  凹み部
２２２  電気めっき層
２２３  先端挿入部
２３  リード線拘束部材
２３１  トレンチ
２３１１  収容空間
２４  押圧部材
２４１  押圧面
２５  多芯リード線
２５１  外部導電端
２５１１  一部分
２５２  絶縁層
２６  ピン
２７  挟持ユニット
２７１  挟持部材
２７１１  クリップ
２７１１１  テーパ−面
２７２  固定リング
２８  ケース
２８１  推進部材
２９  センターピンユニット
２９１  センターピン基部
２９１１  センターピン
２９２  弾性素子
Ｗ１  幅
Ｗ２  幅
Ｗ３  幅
【図１】
2010232175.tif 000003
【図２】
2010232175.tif 000004
【図３】
2010232175.tif 000005
【図４】
2010232175.tif 000006
【図５】
2010232175.tif 000007
【図６】
2010232175.tif 000008
【図７】
2010232175.tif 000009
【図８】
2010232175.tif 000010
【図９】
2010232175.tif 000011
【図１０】
2010232175.tif 000012